(57)【特許請求の範囲】
【請求項１】
トイレの壁面などに固定されるホルダ本体部と、装填するロールペーパーを回転自在に支持する支軸部と、ロールペーパーの上方を覆うカバー部と、該カバー部の前端部に設けられてロールペーパーを切断するカッター部と、を備えるロールペーパーホルダにおいて、
前記カバー部には、ロールペーパーを下方から上方へ挿通可能な挿通部を設け、
前記挿通部から上方へ引き出したロールペーパーの先端側を下方へ引っ張ったときに、ロールペーパーの外周部に接触して該ロールペーパーの回転を阻止する押圧部を、前記カバー部に形成し、
前記カッター部は、切断刃を収納した収納ケースと、前記切断刃を収納方向へ付勢する付勢手段と、を備え、
前記収納ケースには、前記切断刃を出没させるスリットを設け、
ロールペーパーの先端側を下方へ引いて前記押圧部がロールペーパーを押圧すると、前記付勢手段による付勢に抗して切断刃がスリットから突出してロールペーパーを切断するようにしたことを特徴とするロールペーパーホルダ。
【請求項２】
トイレの壁面などに固定されるホルダ本体部と、装填するロールペーパーを回転自在に支持する支軸部と、ロールペーパーの上方を覆うカバー部と、該カバー部の前端部に設けられてロールペーパーを切断するカッター部と、を備えるロールペーパーホルダにおいて、
前記カバー部には、ロールペーパーを下方から上方へ挿通可能な挿通部を設け、
前記挿通部から上方へ引き出したロールペーパーの先端側を下方へ引っ張ったときに、ロールペーパーの外周部に接触して該ロールペーパーの回転を阻止する押圧部を、前記カバー部に形成し、
前記カバー部の先端部付近を下側から後方へ向けて折り返して折返部を形成すると共に、前記カバー部に開設したスリットに前記折返部の先端を切断刃として出没可能に臨ませて、前記カッター部を構成し、
ロールペーパーの先端側を下方へ引いたときに、前記折返部を前記押圧部として機能させ、前記折返部の先端を前記スリットから突出させてロールペーパーを切断するようにしたことを特徴とするロールペーパーホルダ。
【請求項３】
トイレの壁面などに固定されるホルダ本体部と、装填するロールペーパーを回転自在に支持する支軸部と、ロールペーパーの上方を覆うカバー部と、該カバー部の前端部に設けられてロールペーパーを切断するカッター部と、を備えるロールペーパーホルダにおいて、
前記カバー部には、ロールペーパーを下方から上方へ挿通可能な挿通部を設け、
前記挿通部から上方へ引き出したロールペーパーの先端側を下方へ引っ張ったときに、ロールペーパーの外周部に接触して該ロールペーパーの回転を阻止する押圧部を、前記カバー部に形成し、
前記カバー部の先端部付近の下側にほゞＵ字状に形成した弾性を有する前記押圧部の前端部分に、櫛刃状の切断刃を形成して前記カッター部を構成し、
前記カバー部の先端部分に、前記カッター部の切断刃に対応する櫛状部を形成し、該櫛状部に前記カッター部の切断刃を下側から出没可能に臨ませ、
ロールペーパーの先端側を下方へ引いて前記押圧部でロールペーパーを押圧したときに、前記切断刃を前記櫛状部から突出させてロールペーパーを切断するようにしたことを特徴とするロールペーパーホルダ。
【発明の詳細な説明】
【技術分野】
【０００１】
本発明は、ロール状に巻回されたロールペーパーを引き出して、これを適当な長さにカットして使えるようにするロールペーパーホルダに関するものである。
【背景技術】
【０００２】
ロールペーパーホルダは、例えばトイレの壁面などにネジで固定される背壁板部と、この背壁板部の左右両側縁から前方に突き出た一対の支持壁板部と、この支持壁板部に突設されて、装填するロールペーパーに対しこれの中空紙芯管に嵌まり込んで回転自在に支持する左右一対の支持軸部と、後方の支軸を介して両支持壁板部に回動自在に取り付けられたペーパーカバー板と、このペーパーカバー板の先端に設けられたペーパーカッターとを備えて構成されているものが、一般的である。
【０００３】
このロールペーパーホルダでは、ペーパーカッターを備えたペーパーカバー板が、その自重でロールペーパー上に載置されているのみで、ロールペーパーの繰り出し方向に応じて自由に回動するものであったから、引き出したロールペーパーをペーパーカッターで実際に切断する際には、ペーパーカバー板を一方の手で押さえていなければならず、その操作にはどうしても両手を必要とした。このようなものでは、特に、身障者、高齢者或いは事情があって片手が不自由な人や手の機能が低下した人にとっては、非常に使い難いものであった。
【０００４】
そこで、片手だけで容易にロールペーパーを切断できるワンハンド式の構造としたものが、例えば特許文献１や特許文献２によって提案されている。
【０００５】
【特許文献１】特開平９−１２２０３９号公報
【特許文献２】特開２００５−１１１２８６号公報
【発明の開示】
【発明が解決しようとする課題】
【０００６】
しかしながら、従来のロールペーパーホルダにおいては、ペーパーカッターがむき出しになっていたので、誤ってペーパーカッターに触れてしまうと、怪我をする恐れがあった。
【０００７】
本発明が解決しようとする課題は、片手で操作できるばかりではなく、カッターを使用しないときは、このカッターを収納可能な安全で使い易いロールペーパーホルダを提供することを目的とする。
【課題を解決するための手段】
【０００８】
本発明は上記に鑑み提案されたもので、請求項１に係る発明は、トイレの壁面などに固定されるホルダ本体部と、装填するロールペーパーを回転自在に支持する支軸部と、ロールペーパーの上方を覆うカバー部と、該カバー部の前端部に設けられてロールペーパーを切断するカッター部と、を備えるロールペーパーホルダにおいて、前記カバー部には、ロールペーパーを下方から上方へ挿通可能な挿通部を設け、前記挿通部から上方へ引き出したロールペーパーの先端側を下方へ引っ張ったときに、ロールペーパーの外周部に接触して該ロールペーパーの回転を阻止する押圧部を、前記カバー部に形成し、前記カッター部は、切断刃を収納した収納ケースと、前記切断刃を収納方向へ付勢する付勢手段と、を備え、前記収納ケースには、前記切断刃を出没させるスリットを設け、ロールペーパーの先端側を下方へ引いて前記押圧部がロールペーパーを押圧すると、前記付勢手段による付勢に抗して切断刃がスリットから突出してロールペーパーを切断するようにしたことを特徴とする。
【００１０】
請求項２に係る発明は、トイレの壁面などに固定されるホルダ本体部と、装填するロールペーパーを回転自在に支持する支軸部と、ロールペーパーの上方を覆うカバー部と、該カバー部の前端部に設けられてロールペーパーを切断するカッター部と、を備えるロールペーパーホルダにおいて、前記カバー部には、ロールペーパーを下方から上方へ挿通可能な挿通部を設け、前記挿通部から上方へ引き出したロールペーパーの先端側を下方へ引っ張ったときに、ロールペーパーの外周部に接触して該ロールペーパーの回転を阻止する押圧部を、前記カバー部に形成し、前記カバー部の先端部付近を下側から後方へ向けて折り返して折返部を形成すると共に、前記カバー部に開設したスリットに前記折返部の先端を切断刃として出没可能に臨ませて、前記カッター部を構成し、ロールペーパーの先端側を下方へ引いたときに、前記折返部を前記押圧部として機能させ、前記折返部の先端を前記スリットから突出させてロールペーパーを切断するものである。
【００１１】
請求項３に係る発明は、トイレの壁面などに固定されるホルダ本体部と、装填するロールペーパーを回転自在に支持する支軸部と、ロールペーパーの上方を覆うカバー部と、該カバー部の前端部に設けられてロールペーパーを切断するカッター部と、を備えるロールペーパーホルダにおいて、前記カバー部には、ロールペーパーを下方から上方へ挿通可能な挿通部を設け、前記挿通部から上方へ引き出したロールペーパーの先端側を下方へ引っ張ったときに、ロールペーパーの外周部に接触して該ロールペーパーの回転を阻止する押圧部を、前記カバー部に形成し、前記カバー部の先端部付近の下側にほゞＵ字状に形成した弾性を有する押圧部の前端部分に、櫛刃状の切断刃を形成して前記カッター部を構成し、前記カバー部の先端部分に、前記カッター部の切断刃に対応する櫛状部を形成し、該櫛状部に前記カッター部の切断部を下側から出没可能に臨ませ、ロールペーパーの先端側を下方へ引いて前記押圧部でロールペーパーを押圧したときに、前記切断刃を前記櫛状部から突出させてロールペーパーを切断するものである。
【発明の効果】
【００１３】
以上のように、本発明のロールペーパーホルダによれば、ロールペーパーの切断時にのみ、カッター部がカバー部から突出してロールペーパーを切断可能となるので、カッター部を使用しないときに誤ってカッター部に触れてしまい怪我をする恐れがない。また、ロールペーパーを切断するときには、ロールの回転が阻止されるので、一方の手でロールを押えておく必要がなく、片手で切断が可能であって、身障者や高齢者等の使用であっても、利便性が極めて高い。
【発明を実施するための最良の形態】
【００１４】
本発明は、ホルダ本体部と、ロールペーパーを回転自在に支持する支軸部と、カバー部と、ロールペーパーを切断するカッター部とを備えるロールペーパーホルダにおいて、カバー部に設けた挿通部から上方へ引き出したロールペーパーの先端側を下方へ引っ張ったときに、ロールペーパーの外周部に接触して該ロールペーパーの回転を阻止する押圧部をカバー部に形成し、前記カッター部は切断刃を収納した収納ケースと前記切断刃を収納方向へ付勢する付勢手段とを備えており、前記カッター部と前記押圧部とを連係させ、ロールペーパーの先端側を下方へ引くと、押圧部がロールペーパーを押圧する反動によりカッター部が突出してロールペーパーを切断するロールペーパーホルダを実現した。
【実施例】
【００１５】
以下、本発明の実施例を、図面を参照しながら説明する。図１は本発明の第１の実施例によるロールペーパーホルダを示す側面図、図２はそのロールペーパーホルダの斜視図である。この実施例によるロールペーパーホルダ１は、トイレの壁面などに固定されるホルダ本体部２と、装填するロールペーパーＷを回転自在に支持する支軸部３と、ロールペーパーＷの上方を覆うカバー部４と、該カバー部４の前端部に設けられてロールペーパーＷを切断するカッター部５と、を備えている。
【００１６】
ホルダ本体部２は、トイレの壁面などに図示していないネジなどで固定される背壁板部２１と、この背壁板部２１の左右両側縁から前方側の直交方向に一体に突設された左右の支持壁部２２を備えている。そして、向って左側の支持壁部２２には、トイレットペーパーをロール状に巻回して形成したロールペーパーＷを、片持ち状に回転自在に支持するための支軸部３が突設してある。一方、向って右側の支持壁部２２には、ロールペーパーＷを装填可能なように空間部が形成してある。なお、この実施例では、支軸部３の一端を支持壁部２２に対して固定状に設けてロールペーパーＷを片持ち状に支持しているが、取り外し可能な支軸部或いは可動可能な支軸部によってロールペーパーＷを両側から回転自在に支えるようにしてもよい。また、ロールペーパーＷは、芯有り、芯無し何れのロールペーパーＷであってもよい。
【００１７】
装填したロールペーパーＷの上部には、このロールペーパーＷの上方を覆うカバー部４を設ける。このカバー部４は、基端側を、ホルダ本体部２に設けた支持壁部２２に回動自在に枢着されている。このため、ロールペーパーＷの装填時には、カバー部４を起立させておくことができる。一方、使用中は、カバー部４に設けた後述する押圧部６と、ロールペーパーＷとの接触状態を保つことができる。なお、カバー部４の形状は、適宜な湾曲形状とすることにより、ロールペーパーＷの最大径つまり使用前の外径であっても、ペーパーの消費が進んで小径となった場合でも、常に一定の関係位置で接触するようになっている。
【００１８】
また、カバー部４の一側、即ち、支軸部３の先端が位置している前記空間部側の側縁には、ロールペーパーＷの脱落を防止するために、ロールペーパーＷの側面が係止するストッパ片４１が、適宜な形状で突設してある。
【００１９】
カバー部４には、ロールペーパーＷを下方から上方へ挿通可能な挿通部４２を設ける。そして、この挿通部４２から上方へ引き出したロールペーパーＷの先端側Ｗ１を下方へ引っ張ったときに、ロールペーパーＷの外周部に接触して該ロールペーパーＷの回転を阻止する押圧部６を、前記カバー部４の先端部分に形成する。なお、カバー部４に設ける挿通部４２は、図１に示すように、空間部側の側縁が開口する切欠状であっても、カバー部４のほゞ横幅に渡る細長い開口部であってもよい。
【００２０】
押圧部６は、例えば、図１のＡ部拡大図に示すように、ローラ或いはボール状に形成され、通常では、ロールペーペーＷの外周部分に抵抗なく接触するようになっている。
【００２１】
カバー部４の先端部分には、前記押圧部６と共に、カッター部５を出没可能に設ける。即ち、切断刃５１を収納ケース５２に収納し、切断刃５１を収納方向に付勢する付勢手段５３、例えばコイルバネを収納ケース５２に切断刃５１と共に収納する。また、収納ケース５２には、切断刃５１を出没させるためのスリット５４を設け、前記押圧部６がロールペーパーＷを押圧すると、前記付勢手段５３による付勢に抗して切断刃５１がスリット５４から突出するように、カッター部５と押圧部６と連係させるように構成する。
【００２２】
切断刃５１は、図１及び図２に示した実施例では、直線的な板材によって形成してあるが、断続的に形成して、ミシン目状に切断するように構成してもよい。また、幅方向のほゞ中央部分を山形にやや突出させて、中央部分から切れ始めるようにしてもよいし、切断部分か湾曲するように、円弧状の切断刃５１を設けることもできる。
【００２３】
そして、カバー部４の下側から挿通部４２を通してカバー部４の上側に引き出したロールペーパーＷの先端側Ｗ１を下方へ引くと、押圧部６がロールペーパーＷの外周部を押圧する反動によりカッター部５が突出してロールペーパーＷを切断する。しかも、このとき、ロールペーパーＷの回転を押圧部６が阻止するので、片手で充分に切断可能である。
【００２４】
一方、ロールペーパーＷを下方へ引っ張っていない通常の状態では、切断刃５１が付勢手段５３の作用により、収納ケース５２内に収納され、外部に突出していないので、誤って切断刃５１に接触する恐れがない。
【００２５】
次に、本発明に係るロールペーパーＷホルダ１の第２の実施例を、図３及び図４を参照して説明する。図３は、第２の実施例によるロールペーパーホルダ１の要部の斜視図であり、図４（ａ）は同実施例における通常時の状態を示す側面図、（ｂ）は同じく切断時の状態を示す側面図である。なお、前記した第１の実施例と同じ機能を有する部位には、同じ符号を付して説明を省略する。
【００２６】
この第２の実施例においては、ロールペーパーＷを切断するためのカッター部５を、ホルダ本体部２に回動自在に枢着したカバー部４の先端部付近を下側から後方へ向けて折り返して折返部７を形成すると共に、カバー部４に開設したスリット４３に前記折返部７の先端を切断刃５１として出没可能に臨ませて構成している。
【００２７】
また、カバー部４に設けた折返部７を、ロールペーパーＷの自由な回転を阻止する押圧部６として機能させて、折返部７、即ち押圧部６でロールペーパーＷを押圧したときに、前記折返部７の先端を前記スリット４３から上方へ突出させて、ロールペーパーＷを切断するのである。
【００２８】
そこで、この折返部７には、適度の弾性を付与しておく。例えば、折返部７の形状や肉厚の調整により適度に弾性変形するように構成する。そして、挿通部４２から引き出したロールペーパーＷの先端側Ｗ１を、下方に引っ張ったときに、弾性変形してスリット４３から突出した先端により、ロールペーパーＷを切断するのである。
【００２９】
この第２の実施例によっても、通常時は、カッター部５を形成する折返部７の先端が、スリット４３の内部に後退しているので、誤って先端に触れる恐れがない。また、切断する際には、押圧部６として機能する折返部７によってロールペーパーＷの回転を阻止しているので、片方の手で切断することが可能である。
【００３０】
なお、図示の実施例では、折返部７をカバー部４と一体に形成しているが、この折返部７を別体に形成して、カバー部４に後から取り付けるようにしてもよい。この場合には、既存のロールペーパーホルダに取り付けることも可能である。
【００３１】
図５は、本発明に係るロールペーパーホルダ１の第３の実施例を示す要部の斜視図である。なお、前記した第１の実施例と同じ機能を有する部位には、同じ符号を付して説明を省略する。
【００３２】
この第３の実施例においては、カッター部５を、カバー部４の先端部付近の下側にほゞＵ字状に形成した弾性を有する押圧部６の前端部分に櫛刃状の切断刃５１を形成することにより構成している。即ち、適宜な間隔で断続的に切断刃５１を列設している。
【００３３】
ほゞＵ字状の押圧部６は、一端がカバー部４の下側に固定され、他端が自由端となっている。そして、この自由端側に、前記した切断刃５１が断続的に列設してある。また、Ｕ字状の頂点が、ロールペーパーＷの外周に接している。
【００３４】
一方、カバー部４の先端部分には、カッター部５の切断刃５１に対応する櫛状部４４を形成している。即ち、前記した断続的な切断刃５１に対応して、凹凸状に櫛状部４４が形成してある。
【００３５】
そして、前記櫛状に設けた凹凸部の凹部に、前記カッター部５の切断刃５１を下側から出没可能に臨ませ、ロールペーパーＷの先端側Ｗ１を下側に引っ張ったときに、前記押圧部６がロールペーパーＷを押圧してロールペーパーＷの回転を阻止すると共に、前記押圧部６が変形して前記切断刃５１が前記櫛状部４４から突出するのである。
【００３６】
この第３の実施例によっても、通常時は、カッター部５を形成する櫛刃状の切断刃５１が、櫛状部４４の下に後退しているので、切断刃５１に誤って触れる恐れがない。また、ロールペーパーＷを切断する際には、押圧部６によってロールペーパーＷの回転を阻止しているので、片方の手で切断することが可能である。
【００３７】
次に、本発明に係るロールペーパーホルダ１の第４の実施例を、図６に示す側面図、及び図７に示す斜視図を参照して説明する。なお、前記した第１の実施例と同じ機能を有する部位には、同じ符号を付して説明を省略する。
【００３８】
この第４の実施例においては、カッター部５が、ホルダ本体部２に回動自在に枢着されたカバー部４の先端部分に、上向きに固定状に設けられている。また、カバー部４には、前記カッター部５よりも上方に位置する保護部８が、弾性変形可能に形成してある。
【００３９】
保護部８は、例えば、カバー部４の側端付近に一対の切込８１を設けることにより、先端側が自由に動くように形成してある。そこで、この保護部８の先端部分を、引き出したロールペーパーＷの先端側Ｗ１により下方に押圧すると、保護部８が弾性変形するため、この保護部８の下面がロールペーパーＷに接触してロールペーパーＷの回転を阻止する。また、保護部８が弾性変形して下方に下がると、カッター部５がカバー部４に対して相対的に上昇して突出するため、ロールペーパーＷの先端側Ｗ１を切断することができる。
【００４０】
この第４の実施例によっても、通常時は、カッター部５がカバー部４に設けた保護部８よりも下方に位置するため、カッター部５に誤って触れる恐れがない。一方、ロールペーパーＷを切断する場合には、保護部８が弾性変形してカッター部５がカバー部４に対して相対的に上昇して突出するので、カッター部５によってロールペーパーＷが切断可能になる。また、このとき、保護部８の下面がロールペーパーＷの外周に接触し更に押圧するので、ロールペーパーＷの回転が阻止される。従って、片方の手でロールペーパーＷを切断することができる。
【００４１】
以上本発明を図面の実施例について説明したが、本発明は上記した実施例に限定されるものではなく、特許請求の範囲に記載した構成を変更しない限り適宜に実施できる。
【図面の簡単な説明】
【００４２】
【図１】第１の実施例によるロールペーパーホルダの側面図である。
【図２】第１の実施例によるロールペーパーホルダの斜視図である。
【図３】第２の実施例によるロールペーパーホルダの要部の斜視図である。
【図４】第２の実施例によるロールペーパーホルダの側面図であり、（ａ）は通常時の状態を示す側面図、（ｂ）は切断時の状態を示す側面図である。
【図５】第３の実施例によるロールペーパーホルダの要部の斜視図である。
【図６】第４の実施例によるロールペーパーホルダの側面図である。
【図７】第４の実施例によるロールペーパーホルダの斜視図である。
【符号の説明】
【００４３】
１  ロールペーパーホルダ
２  ホルダ本体部
３  支軸部
４  カバー部
５  カッター部
６  押圧部
７  折返部
８  保護部
２１  背壁板部
２２  支持壁部
４１  ストッパ片
４２  挿通部
４３  スリット
４４  櫛状部
５１  切断刃
５２  収納ケース
５３  付勢手段
５４  スリット
８１  切込
Ｗ    ロールペーパー
Ｗ１  先端側
【図１】
0004587987.tif 000002
【図２】
0004587987.tif 000003
【図３】
0004587987.tif 000004
【図４】
0004587987.tif 000005
【図５】
0004587987.tif 000006
【図６】
0004587987.tif 000007
【図７】
0004587987.tif 000008